(57)【要約】      （修正有）【課題】近づいた人の顔等が動かない場合でも、当該人の顔等を検出し、オン状態を維持可能なマイクロホンを提供する。【解決手段】マイクロフォン１００は、棒状の柄部１０５と、柄部１０５の一端に接続された略球状の収音部１０１と、収音部１０１の外周の周囲における第１の位置に配置された第１の発光素子と、該周囲における第１の位置と対向する第２の位置に配置された第２の発光素子と、該周囲における第１の位置と第２の位置との２つの中間点の一方である第３の位置に配置された第１の受光素子と、２つの中間点の他方である第４の位置に配置された第２の受光素子とを備える。第１及び第２の発光素子１０２の発光面と第１及び第２の受光素子１０３の受光面は、柄部１０５の延出方向と反対の方向を向いており、第１及び第２の受光素子１０３が第１及び／又は第２の発光素子１０２の発光による反射光を受光したことに基づいて電源がオンになる。【選択図】図１
2018029307.tif 000002
【特許請求の範囲】
【請求項１】
棒状の柄部と、
前記柄部の一端に接続された略球状、又は軸が前記柄部の長手方向と一致する略円柱状の収音部と、
前記収音部の外周の周囲における第１の位置に配置された第１の発光素子と、
前記収音部の外周の周囲における前記第１の位置と対向する第２の位置に配置された第２の発光素子と、
前記収音部の外周の周囲における前記第１の位置と前記第２の位置との２つの中間点の一方である第３の位置に配置された第１の受光素子と、
前記２つの中間点の他方である第４の位置に配置された第２の受光素子とを備え、
前記第１及び第２の発光素子の発光面と前記第１及び第２の受光素子の受光面は、前記柄部の前記収音部からの延出方向と反対の方向を向いており、
前記第１及び／又は第２の受光素子が前記第１及び／又は前記第２の発光素子の発光による反射光を受光したことに基づいて電源がオンになること特徴とするマイクロホン。
【請求項２】
前記第１及び第２の発光素子が間欠的に発光し、
前記第１及び／又は第２の受光素子による前記反射光の受光の回数が所定回数に達したとき、電源がオンになることを特徴とする請求項１に記載のマイクロホン。
【請求項３】
前記収音部の外周の周囲に、前記マイクロホンを横にして置いたときに前記収音部を保護する保護リングをさらに備え、
前記第１及び第２の発光素子と前記第１及び第２の受光素子は、前記保護リング上に設けられていることを特徴とする請求項１又は２に記載のマイクロホン。
【発明の詳細な説明】
【技術分野】
【０００１】
本発明は、人の声等を収音するマイクロホンに関する。
【背景技術】
【０００２】
図４は、従来のマイクロホン３００の概略図である。
図４に示すように、従来のマイクロホン３００は、棒状の柄部３０５の一端に接続された球状の収音部３０１と、マイクロホン３００の先端部に設置した焦電センサ３１０とを有して構成されている。かかる構成により、人の顔等の音源が近づいたことを焦電センサ３０１で検出し、これにより電源をオンにすることを可能としている（特許文献１の図２参照）。
【先行技術文献】
【特許文献】
【０００３】
【特許文献１】特開２００４−７２５５９号公報
【発明の概要】
【発明が解決しようとする課題】
【０００４】
しかしながら、従来のマイクロホン３００では、焦電センサ３１０が人の顔等から発生する赤外線量の変化を電圧変化として出力し、この出力した電圧変化により人の顔等が近くにあることを検出するものであることから、以下のような課題が生じる。
【０００５】
すなわち、焦電センサ３１０の近くに人がいても、その人が動かない場合は、焦電センサ３１０に入射される赤外線量が変化しないため、焦電センサ３１０は電圧変化を出力せず、その人を検出することができない。つまり、従来のマイクロホン３００は、人が近づく動作を検出して電源がオンするが、その後、その近づいた人が動かない場合は、電源がオフになってしまうこととなる。
【０００６】
また、焦電センサ３１０がマイクロホン３００の先端に設けられているため、焦電センサ３１０が収音の邪魔になり、収音能力が低下するという課題もある。
【０００７】
したがって、本発明は、収音能力を低下させることなく、人の顔等が近づいたことを検出して電源がオンし、その後その人の顔等が近づいた位置で動かない場合でも、電源のオン状態を維持することが可能なマイクロホンを提供することを目的としている。
【課題を解決するための手段】
【０００８】
上記従来の課題を解決するために、本発明のマイクロホンは、棒状の柄部と、前記柄部の一端に接続された略球状、又は軸が前記柄部の長手方向と一致する略円柱状の収音部と、前記収音部の外周の周囲における第１の位置に配置された第１の発光素子と、前記収音部の外周の周囲における前記第１の位置と対向する第２の位置に配置された第２の発光素子と、前記収音部の外周の周囲における前記第１の位置と前記第２の位置との２つの中間点の一方である第３の位置に配置された第１の受光素子と、前記２つの中間点の他方である第４の位置に配置された第２の受光素子とを備え、前記第１及び第２の発光素子の発光面と前記第１及び第２の受光素子の受光面は、前記柄部の前記収音部からの延出方向と反対の方向を向いており、前記第１及び／又は第２の受光素子が前記第１及び／又は前記第２の発光素子の発光による反射光を受光したことに基づいて電源がオンになること特徴とする。
【発明の効果】
【０００９】
本発明のマイクロホンは、上記のとおり、第１及び／又は第２の発光素子から発光された光が近くにある物に当たり、そこから反射した反射光を第１及び／又は第２の受光素子が受光し、これに基づいて電源がオンされる構成となっている。したがって、マイクロホンに人の顔等が近づいたときに電源がオンするだけでなく、その近づいた人の顔等が動かない場合でも、発光素子からの発光による反射光を受光素子が受光する状態が継続されるため、電源のオン状態を維持することができる。
【００１０】
また、第１及び第２の発光素子と第１及び第２の受光素子は、収音部の外周の周囲に配置されることから、収音能力を低下させることなく、上記効果を実現することができる。
【図面の簡単な説明】
【００１１】
【図１】本発明の実施形態のマイクロホンの概略構造を示す図である。
【図２】図１のマイクロホンを矢印Ａの方向から見た概略正面図である。
【図３】本発明の実施形態のマイクロホンの別の例の概略構造を示す図である。
【図４】従来のマイクロホンのの概略構造を示す図である。
【発明を実施するための形態】
【００１２】
以下、本発明の実施形態について図面を参照して説明する。
図１は、本実施形態のマイクロホン１００の概略構造を示す図である。
マイクロホン１００は、棒状の柄部１０５と、柄部１０５の一端に接続された略球状の収音部１０１と、マイクロホン１００を先端から見た収音部１０１の外周の周囲に設けられ、近接センサとして機能する発光素子１０２及び受光素子１０３とを備えている。
【００１３】
マイクロホン１００は、収音部１０１の外周の周囲に、マイクロホン１００を横にして置いたときに収音部１０１を保護する保護リング１０４をさらに備えている。発光素子１０２及び受光素子１０３は、保護リング１０４のマイクロホン１００の先端方向に向いた面１０４Ｓ上に配置されている。
以下、発光素子１０２及び受光素子１０３の配置等につき、さらに図２を参照して説明する。
【００１４】
図２は、図１のマイクロホンを矢印Ａの方向から見た概略正面図である。
発光素子１０２と受光素子１０３は、保護リング１０４の上面１０４Ｓ上にそれぞれ２つずつ設けられており、図２の紙面上、上部と下部に発光素子１０２（１０２1、１０２2）がそれぞれ配置され、左部と右部に受光素子１０３（１０３1、１０３2）がそれぞれ配置されている。
【００１５】
すなわち、収音部１０１の外周の周囲における第１の位置に第１の発光素子１０２1が配置され、収音部１０１の外周の周囲における第１の位置と対向する第２の位置に第２の発光素子１０２2が配置され、収音部１０１の外周の周囲における第１の位置と第２の位置との２つの中間点の一方である第３の位置に第１の受光素子１０３1が配置され、２つの中間点の他方である第４の位置に第２の受光素子１０３2が配置されている。
【００１６】
また、発光素子１０２（１０２1、１０２2）の発光面２０と受光素子１０３（１０３1、１０３2）の受光面３０は、マイクロホン１００の先端方向、すなわち、図１に示す柄部１０５が収音部１０１から延出する方向と反対の方向を向いている。
【００１７】
上記のような発光素子１０２及び受光素子１０３を備えたマイクロホン１００は、マイクロホン１００に人の顔等が近づくと、発光素子１０２から発光された光が人の顔等に反射して、それが受光素子１０３に入射されると、電源がオンになるよう構成されている。
【００１８】
かかる構成の本実施形態のマイクロホン１００によれば、人の顔等が近づいたこと及び人の顔等が近くにあることを発光素子１０２（１０２1、１０２2）の発光による人の顔等からの反射光を受光素子１０３（１０３1、１０３2）が受光したことで検出し、これに基づき電源をオンさせることができる。
したがって、人の顔等が近づいてきたときに電源がオンするだけでなく、人の顔等が近くにあって動かない場合であっても、電源のオン状態を維持することができる。
【００１９】
また、近接センサである発光素子１０２と受光素子１０３は、収音部１０５の外周の周囲に設けられた保護リング１０４上に設置されるため、近接センサによって収音が遮られることはない。このため、近接センサを設けることによる収音能力の低下を防ぐことができる。
【００２０】
また、本実施形態のマイクロホン１００によれば、発光素子１０２の発光面２０と受光素子１０３の受光面３０をいずれもマイクロホン１００の先端方向に向けていることにより、発光素子１０２からの光がマイクロホンの構造部に当たって反射した反射光が受光素子１０３に入射されることを防止できる。さらに、上記に加え、発光素子１０２及び受光素子１０３を図２のような位置関係に配置していることにより、発光素子１０２からの光が収音部１０１に当たって反射した反射光が受光素子１０３に入射されることも防止できる。
したがって、マイクロホン１００自身からの反射光により、誤って電源がオンしてしまうことを防止でき、顔等が近づいた時のみ、電源をオンすることが可能となる。
【００２１】
本実施形態において、近接センサとしては、例えば、発光素子１０２に赤外光を発光する素子を用い、受光素子１０３に赤外光を検出可能な素子を用いることができる。この場合、発光素子１０２が赤外光を常時発光し、受光素子１０３が発光素子１０２の赤外光の発光による反射光を受光している間、マイクロホン１００がオンするように構成する。
【００２２】
近接センサの別の例として、発光素子１０２に可視光を発光する素子（例えば、ＬＥＤ素子）を用いることもできる。この場合、発光素子１０２の発光による反射光以外の光によって、誤ってマイクロホン１００がオンしてしまうことのないように、例えば、以下のように構成することが好ましい。
【００２３】
発光素子１０２は、可視光をパルス発光（間欠的に発光）させる。そして、この発光素子１０２のパルス発光によって受光素子１０３における受光強度が増加した回数、すなわち、受光素子１０３が発光素子１０２の発光による反射光を受光した回数が所定回数に達したときに、マイクロホン１００をオンさせるよう構成する。
【００２４】
以上、本発明の実施形態について説明したが、本発明は上記実施形態に限定されず、本発明の趣旨を逸脱しない範囲において種々の変更が可能であることは言うまでもない。
例えば、上記実施形態においては、収音部１０１が略球状である例を示したが、収音部１０１は、例えば、図３に示すように、軸が柄部１０５の長手方向と一致する向きで柄部１０５に接続された円柱状であってもよい。この場合、完全な円柱状でなくてもよく、例えば、円錐台状でも構わない。
【００２５】
また、上記実施形態では、発光素子１０２及び受光素子１０３を保護リング１０４の上面上に配置しているが、保護リング１０４は必須ではなく、発光素子１０２及び受光素子１０３が収音部の外周の周囲に、図２に示すような位置関係及び発光面２０と受光面３０の向きで設置されていればよい。
【符号の説明】
【００２６】
１００、３００  マイクロホン
１０１、３０１  収音部
１０２  発光素子
１０３  受光素子
１０４  保護リング
１０４Ｓ  保護リングの上面
１０５、３０５  柄部
２０  受光面
３０  発光面
３０１  焦電センサ
【図１】
2018029307.tif 000003
【図２】
2018029307.tif 000004
【図３】
2018029307.tif 000005
【図４】
2018029307.tif 000006